【手続補正書】
【提出日】平成19年6月4日(2007.6.4)
【手続補正１】
【補正対象書類名】特許請求の範囲
【補正対象項目名】全文
【補正方法】変更
【補正の内容】
【特許請求の範囲】
【請求項１】
被処理材料に衝撃を生成するために工具を該被打撃材料に接触させて配設し、衝撃装置を使用するために作動流体を該衝撃装置へ送り、該装置から排出する作動流体作動式衝撃装置、とくにさく岩機もしくは破砕機による前記工具における応力パルス発生方法において、前記衝撃装置において作動流体を圧力パルスとして該衝撃装置のフレームと前記工具との間の該衝撃装置にある作動室へ供給して、前記作動流体の圧力が該衝撃装置のフレームと該工具との間に力を生じ、該力が該工具を前記被処理材料の方へ押して、該力の作用によって応力パルスを該工具にその長手方向に発生させ、該応力パルスが該工具を介して前記被処理材料へ伝播し、該応力パルスの発生が、該力の該工具に対する作用が終わるときと実質的に同時に終了することを特徴とする応力パルス発生方法。
【請求項２】
請求項１に記載の方法において、前記応力パルスは、前記力の前記工具に対する作用と実質的に同時であり、かつ同様の長さであることを特徴とする方法。
【請求項３】
請求項１または２に記載の方法において、前記圧力パルスにより生成された力を、前記作動室と前記工具との間にある別個の伝動ピストンによって該工具へ伝達することを特徴とする方法。
【請求項４】
請求項１から３までのいずれかに記載の方法において、前記応力パルスの長さを、前記圧力パルスの長さを調節することによって調節することを特徴とする方法。
【請求項５】
請求項１から４までのいずれかに記載の方法において、前記応力パルスの振幅を、前記圧力パルスの振幅を調節することによって調節することを特徴とする方法。
【請求項６】
請求項１から５までのいずれかに記載の方法において、前記応力パルスの回数を、前記圧力パルスの供給回数を調節することによって調節することを特徴とする方法。
【請求項７】
請求項１から６までのいずれかに記載の方法において、衝撃後、前記衝撃装置を前記工具の方へ押すことによって、該工具を該衝撃装置に関してその衝撃前の位置へ戻すことを特徴とする方法。
【請求項８】
請求項１から７までのいずれかに記載の方法において、衝撃後、前記衝撃装置と前記工具との間に作用する別個の力を該工具に対して作用させて、該力が該工具を該衝撃装置の方へ押すことによって、該工具を該衝撃装置に関してその衝撃前の位置へ戻すことを特徴とする方法。
【請求項９】
請求項８に記載の方法において、前記衝撃装置と前記工具との間に作用する前記別個の力を、該衝撃装置のフレームと工具との間にある室で作用する圧力媒体によって生成することを特徴とする方法。
【請求項１０】
請求項１から９までのいずれかに記載の方法において、圧力パルスを生成するために、エネルギーをエネルギー充填空間へ充填し、該空間は、前記衝撃装置に設けられ、エネルギー充填手段として作動し、加圧作動流体で完全に満たされ、該エネルギー充填空間の容積を、１回の圧力パルス中に前記作動室へ１回供給される作動流体量の容積に比べて実質的に大きくすることを特徴とする方法。
【請求項１１】
請求項10に記載の方法において、前記衝撃装置が稼動時、作動流体を前記エネルギー充填空間へ連続的に供給し、作動流体を該エネルギー充填空間から周期的に交互に前記作動室へ排出し、これに対応して、該エネルギー充填空間から該作動室への連結部を閉鎖し、該作動室から作動流体排出流路への連結部を開くことを特徴とする方法。
【請求項１２】
請求項１から11までのいずれかに記載の方法において、前記作動流体供給を制御弁によって制御することを特徴とする方法。
【請求項１３】
請求項12に記載の方法において、前記制御弁は回転弁であり、該回転弁にその回転方向に複数の連続する開口部を設けて、作動流体を複数の送り流路を介して同時に前記作動室へ供給することを特徴とする方法。
【請求項１４】
請求項12に記載の方法において、前記制御弁は回転弁であり、該回転弁にその回転方向に複数の連続する開口部を設けて、作動流体を複数の送り流路を介して同時に前記作動室へ供給し、該作動室から作動流体を排出することを特徴とする方法。
【請求項１５】
請求項12に記載の方法において、前記制御弁は回転弁であり、該回転弁にその回転方向に複数の連続する開口部を設けて、作動流体を複数の送り流路を介して同時に前記作動室へ供給し、これに対応して、複数の連続する開口部を、その回転方向に設けて、該作動室から作動流体を排出することを特徴とする方法。
【請求項１６】
工具をその長手方向に移動可能に取り付け可能なフレームを含み、該工具は、衝撃中に被打撃材料に接触するように配設され、さらに、衝撃装置を使用するために作動流体を該衝撃装置へ供給し該装置から作動流体を排出する手段を含む作動流体作動式衝撃装置、とくにさく岩機もしくは破砕機において、該衝撃装置は、作動室と、作動流体の圧力が該衝撃装置のフレームと前記工具との間に力を生じるように該作動流体を圧力パルスとして該作動室へ運ぶ手段とを含み、該力は、該工具を前記被処理材料の方へ押し、該力の作用により該工具にその長手方向に応力パルスが生成され、該応力パルスが該工具を介して前記被処理材料に伝播し、該応力パルスの生成は、前記力の該工具に対する作用が終了するときと実質的に同時に終了することを特徴とする衝撃装置。
【請求項１７】
請求項16に記載の衝撃装置において、前記工具の応力パルスは、該工具に対する前記力の作用と実質的に同時であり、同じ長さであることを特徴とする衝撃装置。
【請求項１８】
請求項16または17に記載の衝撃装置において、前記作動室は、該衝撃装置のフレームと前記工具との間にあることを特徴とする衝撃装置。
【請求項１９】
請求項16から18までのいずれかに記載の衝撃装置において、該衝撃装置は、前記作動室で移動する伝動ピストンを含み、該伝動ピストンに正圧面を設け、該正圧面は、該作動室へ向いて存在し、該正圧面に対して前記作動流体の圧力が作用し、前記伝動ピストンを前記工具に直接、もしくは間接に接触させて、該伝動ピストンが移動したとき、該伝動ピストンが該衝撃装置のフレームと該工具との間に作用する力を生じることを特徴とする衝撃装置。
【請求項２０】
請求項19に記載の衝撃装置において、前記伝動ピストンは、前記工具の軸方向に移動することを特徴とする衝撃装置。
【請求項２１】
請求項16から20までのいずれかに記載の衝撃装置において、作動流体を供給および排出する前記手段は、エネルギー充填空間を含み、該空間は、加圧作動流体を含み、該空間の容積は、前記作動室の容積に比べて実質的に大きいことを特徴とする衝撃装置。
【請求項２２】
請求項21に記載の衝撃装置において、該衝撃装置が稼動時、作動流体を該衝撃装置へ供給し作動流体を該装置から排出する手段は、作動流体を前記エネルギー充填空間へ連続して流し、該エネルギー充填空間から前記作動室への連結部を周期的に交互に開き、これに対応して、該エネルギー充填空間から該作動室への連結部を閉鎖し、該作動室から作動流体排出流路への連結部を開くことを特徴とする衝撃装置。
【請求項２３】
請求項16から22までのいずれかに記載の衝撃装置において、前記作動流体を供給および排出する手段は、制御弁を含むことを特徴とする衝撃装置。
【請求項２４】
請求項23に記載の衝撃装置において、前記制御弁は、前記作動室への作動流体供給を周期的に制御するように配設されていることを特徴とする衝撃装置。
【請求項２５】
請求項23または24に記載の衝撃装置において、前記制御弁は、前記作動室からの作動流体の排出を周期的に制御するように配設されていることを特徴とする衝撃装置。
【請求項２６】
請求項23から25までのいずれかに記載の衝撃装置において、前記制御弁は回転弁であることを特徴とする衝撃装置。
【請求項２７】
請求項24に記載の衝撃装置において、前記制御弁は回転弁であり、該回転弁にその回転方向に複数の連続する開口部を設けて、これらを介して作動流体を前記作動室へ同時に供給することを特徴とする衝撃装置。
【請求項２８】
請求項24または25に記載の衝撃装置において、前記制御弁は、回転弁であり、該回転弁にその回転方向に複数の連続する開口部を設けて、該開口部を介して作動流体を前記作動室へ同時に供給し、これに対応して該作動室から作動流体を排出することを特徴とする衝撃装置。
【請求項２９】
請求項24または25に記載の衝撃装置において、前記制御弁は、回転弁であり、該回転弁にその回転方向に複数の連続する開口部を設けて、該開口部を介して作動流体を前記作動室へ同時に供給し、これに対応して、その回転方向に複数の連続する開口部を設けて、該開口部を介して同時に該作動室から作動流体を排出することを特徴とする衝撃装置。
【請求項３０】
請求項16から29までのいずれかに記載の衝撃装置において、該衝撃装置は、伝動ピストンおよび/または工具を衝撃後に、該衝撃装置に関して実質的に衝撃前のその位置へ、該衝撃装置を前記工具の方へ押すことによって戻す手段を含むことを特徴とする衝撃装置。
【請求項３１】
請求項16から30までのいずれかに記載の衝撃装置において、該衝撃装置は、伝動ピストンおよび/または工具を衝撃後に、該衝撃装置に関して実質的に衝撃前のその位置へ、該衝撃装置と前記工具との間に別個の力を作用させて該工具に対して作用を及ぼすことによって戻す手段を含み、該力が該工具を該衝撃装置の方へ押すことを特徴とする衝撃装置。
【請求項３２】
請求項16から31までのいずれかに記載の衝撃装置において、別個の衝撃装置と前記工具との間に作用する力を生成する前記手段は、該衝撃装置と該工具との間にある室を含み、該室の圧力媒体、もしくは該室へ供給される圧力媒体によって前記力を生成することを特徴とする衝撃装置。